(57)【要約】【課題】マスクの耳掛けシートの収縮力を適宜に調整し易くすること、並びに、そのマスクを得るのに好適な耳掛けシートおよびマスクの製造方法を提供する。【解決手段】マスク１を、口元を覆うマスク本体２と、このマスク本体２の両側２Ｒ、２Ｌに接合された耳掛けシート３Ｒ、３Ｌとを備え、耳掛けシート３Ｒ、３Ｌが、耳に通される開口Ｈを有する伸縮性のシート７、９から形成されており、両シート７、９間に弾性体８が挟み込まれており、弾性体８が、少なくとも開口Ｈの後方に通されており、シート７、９、弾性体８が非伸長状態で一体化されている構成とした。【選択図】図１
2006345993.tif 000002
【特許請求の範囲】
【請求項１】
口元を覆うマスク本体と、このマスク本体の両側に接合された耳掛けシートとを備え、前記耳掛けシートが、耳に通される開口を有するシートから形成されているマスクにおいて、前記シートの一部に弾性体が添え付けられていることを特徴とするマスク。
【請求項２】
前記マスク本体から前記耳掛けシートへ向う方向を後方向としたとき、前記弾性体が、少なくとも前記開口の後方を迂回するように通されている請求項１に記載のマスク。
【請求項３】
前記シートが伸縮性を有し、前記弾性体と前記シートとが非伸張状態で一体化されている請求項１または２に記載のマスク。
【請求項４】
口元を覆うマスク本体の両側に接合される耳掛けシートの製造方法において、
長尺のシートに弾性体を長さ方向に進行する波状に添え付ける第１工程と、
前記第１工程よりも後に、前記シートを前記弾性体に沿って波状に切り分けることにより、前記耳掛けシートの外形状部が前記シートの一側端を前記マスク本体への接合端として複数連続し、かつ各外形状部が少なくとも前記弾性体の山部を含む第１耳掛けグループと、前記耳掛けシートの外形状部が前記シートの他側端を前記マスク本体への接合端として複数連続し、かつ各外形状部が少なくとも前記弾性体の谷部を含む第２耳掛けグループとを形成する第２工程とを含むことを特徴とする耳掛けシートの製造方法。
【請求項５】
前記第１工程において、前記シートに伸縮性を有するものを用い、前記弾性体と前記シートを共に非伸長状態で一体化することを特徴とする請求項４に記載の耳掛けシートの製造方法。
【請求項６】
前記第１工程において、前記シートを２枚のシートから構成し、前記弾性体を両シート間に挟む込むことを特徴とする請求項４または５に記載の耳掛けシートの製造方法。
【請求項７】
前記第１工程において、前記弾性体を正弦波状に一連で添え付け、
前記第２工程において、前記弾性体の変極点が、前記シートの切り分け線の振幅中心上に位置することを特徴とする請求項４から６のいずれかに記載の耳掛けシートの製造方法。
【請求項８】
前記第１工程において、前記弾性体に添え付け幅をもたせ、前記第２工程において、前記シートを、前記添え付け幅の中程を通して切り分けることを特徴とする請求項４から６のいずれかに記載の耳掛けシートの製造方法。
【請求項９】
口元を覆うマスク本体の両側に耳掛けシートが接合されたマスクの製造方法において、
請求項４から８のいずれかに記載の耳掛けシートの製造方法で得られた第１耳掛けグループおよび第２耳掛けグループの位置を互いの接合端が平行し、互いの外形状部が一対を構成するように入れ替えた後、前記第１耳掛けグループ、前記第２耳掛けグループを、複数の前記マスク本体を切り出される本体ベースの両側に接合する第３工程を含むことを特徴とするマスクの製造方法。
【請求項１０】
口元を覆うマスク本体の両側に耳掛けシートが接合されたマスクの製造方法において、
請求項４から８のいずれかに記載の耳掛けシートの製造方法を施し、その第１工程と第２工程の間で、前記シートの両側に、複数の前記マスク本体を切り出される本体ベースの半体片を接合する第４工程と、
前記第４工程よりも後に、前記第１耳掛けグループと前記半体片からなる第１複合体と、第２耳掛けグループと前記半体片からなる第２複合体とを重ね合わせ、両半体片同士を接合して前記本体ベースを形成する第５工程とを含むことを特徴とするマスクの製造方法。
【発明の詳細な説明】
【技術分野】
【０００１】
この発明は、口元を覆うマスク本体の両側に耳掛けシートが接合されたマスク並びに耳掛けシートおよびマスクの製造方法に関する。
【背景技術】
【０００２】
従来から、マスク本体の両側にゴムひもを環状に取付けた耳掛けを備えたマスクが広く利用されている。しかしながら、この種のマスクは、ゴムひもの強度を確保するため、ある程度太さのあるものが用いられており、マスク本体を顔に押し当てる際の収縮力が強いものであった。このため、ゴムひもからなる耳掛けを備えたマスクを長時間に亘って着用すると、耳が痛くなり易かった。
【０００３】
そこで、伸縮性のシートに耳に通される開口が形成された耳掛けシートを有するマスクが提案されている（特許文献１）。
【０００４】
【特許文献１】特開平７−２７５３８４号公報（段落番号［０００５］から［０００９］参照）
【発明の開示】
【発明が解決しようとする課題】
【０００５】
しかしながら、特許文献１のような耳掛けシートでは、マスク本体の口元への十分な押し付けを得られるようにその収縮力を予め設定しておく必要がある。ところが、特許文献１の耳掛けシートは、シート自体の収縮力を調整することでその収縮力を設定することが可能だが、この場合、開口周囲の収縮力が不必要に強くなり易い。
【０００６】
そこで、この発明の課題は、マスクの耳掛けシートの収縮力を適宜に調整し易くすること、並びに、そのマスクを得るのに好適な耳掛けシートおよびマスクの製造方法を提供することにある。
【課題を解決するための手段】
【０００７】
上記の課題を達成するため、この発明は、口元を覆うマスク本体と、このマスク本体の両側に接合された耳掛けシートとを備え、前記耳掛けシートが、耳に通される開口を有するシートから形成されているマスクにおいて、前記シートの一部に弾性体が添え付けられていることを特徴とする。
【０００８】
前記耳掛けが、前記シートの一部に弾性体が添え付けられている構成によれば、シートと弾性体とが一体となって強度を発揮するようになる。これにより、シートで耳掛けシートとしての強度を担保し、その一部に添え付ける弾性体の太さ、幅、種類、収縮力、配置などを自在に設定することが可能になる。このため、耳掛けシートの収縮力を局所的に設定することができる。したがって、この構成によれば、耳掛けシートの収縮力を適宜に調整することが容易になる。
【０００９】
具体的には、上記構成において、前記マスク本体から前記耳掛けシートへ向う方向を後方向としたとき、前記弾性体が、少なくとも前記開口の後方を迂回するように通されている構成を採用することができる。この構成によれば、耳掛けシートと耳のフィット感、マスク本体の押し付け具合を、前記開口の後方を迂回する弾性体により設定することが可能になる。このため、耳掛けシート全体としての収縮力が不要に高まることが防止される。
【００１０】
なお、上記構成において、弾性体は、一連で、または断続的に配設されていてもよく、また、複数の弾性体がシートに添え付けられていてもよい。さらに、弾性体には、一部材からなるもの、または集合体からなるもののいずれを用いてもよい。好ましくは、弾性体には、幅を有する一部材、または糸ゴムのような線状部材の集合体からなるものを用いるとよい。ゴムひもの場合と比して、弾性体の収縮力は耳の付け根に集中し難くなる。
【００１１】
上記構成において、前記シートが伸縮性を有し、前記弾性体と前記シートとが非伸張状態で一体化されている構成を採用すれば、耳掛けシートの全体的な収縮力をシートで設定することにより、弾性体の添え付けを最小限にすることができる。また、未使用の状態で、耳掛けシートに収縮力が生じることがなくなり、耳掛けシートに皺くちゃにならない。このため、製品の外観がよくなり、製品包装も容易になる。なお、この構成において、シートと弾性体は、耳掛けシートを耳に掛ける際に伸長するように設けられる。
【００１２】
上記構成においては、耳掛けシートを複数のシートから形成することもできる。例えば、前記耳掛けシートを地肌に接する裏側シートとこの裏側シートに重なり合う表側シートとから構成し、両シートの間に前記弾性体を挟み込むこともできる。この構成によれば、外観上、弾性体を隠すことができると共に、裏側シートに肌あたりの優しいものを用いることができ、また、裏側シートと表側シートの両方で耳掛けシート全体の収縮力を設定することも可能になる。
【００１３】
また、上記構成の耳掛けシートの製造には、長尺のシートに弾性体を長さ方向に進行する波状に添え付ける第１工程と、前記第１工程よりも後に、前記シートを前記弾性体に沿って波状に切り分けることにより、前記耳掛けシートの外形状部が前記シートの一側端を前記マスク本体への接合端として複数連続し、かつ各外形状部が少なくとも前記弾性体の山部を含む第１耳掛けグループと、前記耳掛けシートの外形状部が前記シートの他側端を前記マスク本体への接合端として複数連続し、かつ各外形状部が少なくとも前記弾性体の谷部を含む第２耳掛けグループとを形成する第２工程とを含むことを特徴とする方法が好適である。
【００１４】
上記構成の耳掛けシートの製造方法によれば、一シートから、一対の耳掛けシートの外形状部が共取りされつつ、連続形成され、かつ各外形状部の一部に弾性体を同一配置で添え付けられる。このため、シートと弾性体の素材に無駄が生じ難くい。また、弾性体の添え付け、およびシートの切り分けは、波線軌跡となるので、連続的かつ同一モーションの繰り返しで行うことが可能になる。
したがって、上記構成の耳掛けシートの製造方法によれば、上記構成の耳掛けシートを効率よく製造することができる。
【００１５】
なお、前記シートのうち弾性体と接合端の間の部分に開口を形成すれば、マスク本体から耳掛けシートへ向う方向を後方向としたとき、弾性体が、少なくとも前記開口の後方を迂回するように通されている耳掛けシートを得ることができる。
【００１６】
前記第１工程において、前記シートに伸縮性を有するものを用い、前記弾性体と前記シートを共に非伸長状態で一体化する構成を採用すれば、得られる第１耳掛けグループと第２耳掛けグループが自然長を維持するので、その後の工程を容易に施すことができる。
また、この構成を採用すれば、前記弾性体と前記シートとが非伸張状態で一体化されているマスクが得られる。
【００１７】
前記第１工程において、前記シートを２枚のシートから構成し、前記弾性体を両シート間に挟む込む構成を採用すれば、上記裏側シートと上記表側シートとの間に弾性体を挟み込んだ耳掛けシートを製造することができる。
【００１８】
前記第１工程において、前記弾性体を正弦波状に一連で添え付け、前記第２工程において、前記弾性体の変極点が、前記シートの切り分け線の振幅中心上に位置する構成を採用すれば、弾性体の添え付け、およびシートの切り分けの基準位置が、シートの長さ方向において同一線上に揃う。このため、両工程が単純化されると共に、上記開口の形成位置を前記同一直線を中心としてシートの長さ方向に一定間隔で確保することができる。したがって、この構成によれば、耳掛けシートをより効率よく製造することができる。
【００１９】
前記第１工程において、前記弾性体に添え付け幅をもたせ、前記第２工程において、前記シートを、前記添え付け幅の中程を通して切り分ける構成を採用すれば、上記第１耳掛けグループと第２耳掛けグループとに含める弾性体を同時に添え付けられるので、耳掛けシートをより効率よく製造することができる。なお、「添え付け幅をもたせ」とは、弾性体を一定幅にすること、または複数の弾性体を間隔をもって平行するように添え付けることの両方を含む意味である。
【００２０】
また、口元を覆うマスク本体の両側に上記構成の耳掛けシートが接合されたマスクを製造するには、上記構成の耳掛けシートの製造方法で得られた第１耳掛けグループおよび第２耳掛けグループの位置を互いの接合端が平行し、互いの外形状部が一対を構成するように入れ替えた後、前記第１耳掛けグループ、前記第２耳掛けグループを、複数の前記マスク本体を切り出される本体ベースの両側に接合する第３工程を含むことを特徴とする方法が好適である。
【００２１】
上記構成のマスクの製造方法によれば、上記シートから上記第１耳掛けグループと上記第２耳掛けグループを共取りしても、耳掛けシートの形成からマスク本体の形成までを一連の流れで行うことができる。
上記入れ替えの一例としては、第１耳掛けグループと第２耳掛けグループを、互いの位置が入れ替わるように立体交差するように走行させながら、本体ベースの両側に位置させる方法を採用することができる。
【００２２】
また、口元を覆うマスク本体の両側に上記構成の耳掛けシートが接合されたマスクを製造するには、上記構成の耳掛けシートの製造方法を施し、その第１工程と第２工程の間で、前記シートの両側に、複数の前記マスク本体を切り出される本体ベースの半体片を接合する第４工程と、前記第４工程よりも後に、前記第１耳掛けグループと前記半体片からなる第１複合体と、第２耳掛けグループと前記半体片からなる第２複合体とを重ね合わせ、両半体片同士を接合して前記本体ベースを形成する第５工程とを含むことを特徴とする方法が好適である。
【００２３】
上記構成のマスクの製造方法によれば、上記シートから上記第１耳掛けグループと上記第２耳掛けグループを共取りしても、耳掛けシートの形成からマスク本体の形成までを一連の流れで行うことができる。なお、この構成において、半体片同士の接合を円弧状に行うことにより、立体的なマスク本体を容易に形成することができる。
【発明の効果】
【００２４】
上述のように、上記構成のマスクは、前記シートの一部に弾性体が添え付けられている構成によれば、耳掛けシートの収縮力を適宜に調整し易くすることができる。
また、上記構成の耳掛けシートおよびマスクの製造方法によれば、耳掛けシートおよびマスクの製造を連続的に行うことができる。
【発明を実施するための最良の形態】
【００２５】
以下、この発明の実施形態に係るマスクを図面に基づいて説明する。図１に示すマスク１は、口元を覆うマスク本体２とこのマスク本体２の両側に接合された耳掛けシート３Ｒ、３Ｌとを備えるものである。
【００２６】
マスク本体２は、その中心が円弧状で表側に膨らむ立体形状とされており、通気性、柔軟性を有するアウターシート４とインナーシート５の間にフィルタエレメント６を挟み込んだ状態で一体化された構造となっている。
【００２７】
具体的には、アウターシート４とインナーシート５には、樹脂性のウェブシートが用いられており、フィルタシート６には、極細の樹脂繊維からなる不織布シートが用いられているが、他のものでもよい。アウターシート４、インナーシート５およびフィルタエレメント６は、その外縁をＳ１およびＳ２の接合線、その中心をＳ３の接合線により接合されている。
【００２８】
マスク本体２の接合線Ｓ３を境界として、一方側２Ｒの側端には、接合線Ｓ１により、アウターシート４、インナーシート５およびフィルタエレメント６と共に耳掛けシート３Ｒが一体接合されており、同様に、他方側２Ｌの側端には、耳掛けシート３Ｌが一体接合されている。
【００２９】
各耳掛けシート３Ｒ、３Ｌは、表側シート７と、表側シート７の裏面の一部に添え付けられた弾性体８と、この弾性体８を表側シート７と共に挟み込むように貼り合わされた裏側シート９とから形成されており、共に同一構造とされている。
【００３０】
表側シート７と裏側シート９は、耳に通される開口Ｈを有する。
【００３１】
具体的には、弾性体８は、マスク本体２から耳掛けシート３Ｒ、３Ｌへ向う方向を後方向としたとき、少なくとも開口Ｈの後方を迂回するように通されている。各耳掛けシート３Ｒ、３Ｌのうち、マスク本体２からの突出部分の後側をＷ１、前側をＷ２としたとき、弾性体８は、後側Ｗ１の部分に通されており、その両端が後側Ｗ１と前側Ｗ２の境界上に設けられている。
【００３２】
弾性体８には、糸ゴムの集合体が用いられているが、これに限定されない。例えば、弾性体８は、一本の糸ゴムから構成すること、弾性シートまたは帯から構成すること、ホットメルトエラストマから形成することも可能である。勿論、複数の弾性体８を設けてもよい。
【００３３】
一方、表側シート７と裏側シート９には、伸縮性を有する織布、不織布などの繊維シート、伸縮性を有する樹脂フィルムを用いることができる。
【００３４】
弾性体８と表側シート７と裏側シート９は、非伸張状態で一体化されている。これにより、マスク１の使用状態では、表側シート７と裏側シート９が自然長から伸長し、これに伴い弾性体８が伸長する一方、マスク１の未使用状態では、弾性体８と表側シート７と裏側シート９が自然長まで収縮するようになっている。
【００３５】
以下、耳掛けシート３Ｒ、３Ｌおよびマスク１の製造方法の一実施形態を説明する。なお、必要に応じて図１の符号を引用する。
【００３６】
先ず、図２に示すように、連続的に送り方向（図中の矢線方向）に送られる長尺の第１シート１１の一面に、弾性体１２を長さ方向に進行する正弦波状に一連で添え付ける。この添え付け終了部分には、第２シート１３が重ねられていき、第１シート１１と第２シート１３の間に弾性体１２が挟み込まれる。
【００３７】
第１シート１１と第２シート１３には伸縮性のものを用い、第１シート１１と第２シート１３と弾性体１２は非伸長状態で一体化される。なお、この一体化には、接着が採用されているが、ホットメルトでもよい。
【００３８】
図３に示すように、第１シート１１と弾性体１２と第２シート１３とが一体化されたシート領域１０において、その幅方向中心線ＣＬが弾性体１２の進行方向軸線となり、弾性体１２のうち、この幅方向中心線ＣＬよりもシート領域１０の一端側が山部１２ａ、１２ｃ、１２ｅとなり、他端側が谷部１２ｂ、１２ｄとなる（第１工程）。
なお、図３中の一点鎖線Ｔ１は、各耳掛けシート３Ｒ、３Ｌに形成される開口Ｈのトリミング線を示しており、耳掛けシート３Ｒ、３Ｌの外形状と切り分け線Ｃ、幅方向中心線ＣＬとの関係が明確になるように描いたものである。以降、適宜他の図中にも一点鎖線Ｔ１を示す。
【００３９】
次に、シート領域１０は、一点鎖線で描いた切り分け線Ｃにより送り方向下流側から切断される。切り分け線Ｃは、耳掛けシート３Ｒ、３Ｌの外形状が交互に向きを変えながら送り方向に連続する波状とされている。
【００４０】
具体的には、切り分け線Ｃは、シート領域１０の両端１０ａ、１０ｂより耳掛けシート３Ｒ、３Ｌの接合代領域Ｗ３が形成され、両接合代領域Ｗ３、Ｗ３間が、前記Ｗ１＋Ｗ２の長さとなるように設定されている。弾性体１２の変極点Ｐ１、Ｐ２、Ｐ３・・・が切り分け線Ｃの振幅中心上に位置し、切り分け線Ｃの振動態様は、弾性体１２の振動態様に対応している。
【００４１】
シート領域１０は、上記切り分け線Ｃで切断されると、前記耳掛けシート３Ｒの外形状部がシート領域１０の一側端１０ａを前記マスク本体２への接合端として複数連続し、かつ各外形状部が少なくとも前記弾性体１２の山部１２ａ、１２ｃ、１２eを含む第１耳掛けグループ１０Ｒと、耳掛けシート３Ｌの外形状部が前記シートの他側端１０ｂを前記マスク本体２への接合端として複数連続し、かつ各外形状部が少なくとも前記弾性体１２の谷部１２ｂ、１２ｄを含む第２耳掛けグループ１０Ｌとに形成され、山部１２ａ、１２ｃ、１２ｅおよび谷部１２ｂ、１２ｄは、マスク１の弾性体８に形成される（第２工程）。
【００４２】
次に、図４に示すように、第１耳掛けグループ１０Ｒと第２耳掛けグループ１０Ｌは、互いの接合端（一端１０ａ、他端１０ｂ）が平行し、互いの外形状部が一対を構成するように入れ替えられる。その後、第１耳掛けグループ１０Ｒと第２耳掛けグループ１０Ｌは、図５、図６に示すように、複数の前記マスク本体２を切り出される本体ベース２０の両側に移送され、上記の状態のまま接合される。
【００４３】
本体ベース２０は、連続的に送り方向に送られる長尺の表シート２１の一面に、長尺のフィルタシート２２を重ね、さらに長尺のフィルタシート２２の一面に裏シート２３を順次重ねた構造とされる。
【００４４】
フィルタシート２２と裏シート２３の間には、その一端側２０ａに第２耳掛けグループ１０Ｌの他端１０ｂが挟み込まれ、他端側２０ｂに第１耳掛けグループ１０Ｒの一端１０ａが挟み込まれる。この状態で、第１耳掛けグループ１０Ｒ、第２耳掛けグループ１０Ｌ、表シート２１、フィルタシート２２、裏シート２３は接合線Ｓ１によりヒートシールされ、一体化される。これにより、本体ベース２０の両側に第１耳掛けグループ１０Ｒ、第２耳掛けグループ１０Ｌが接合される（第３工程）。
【００４５】
また、表シート２１、フィルタシート２２、裏シート２３は、第１耳掛けグループ１０Ｒ、第２耳掛けグループ１０Ｌの送り方向両端付近から接合線Ｓ２により八の字状にヒートシールされ、一体化される。このヒートシールは、上記接合線Ｓ１と同時または別にヒートシールされる。
【００４６】
次に、第１耳掛けグループ１０Ｒ、第２耳掛けグループ１０Ｌの各外形状部のうち、図３中に示すトリミング線Ｔ１により、弾性体１２の山部１２ａ、１２ｃ、１２eおよび谷部１２ｂ、１２ｄと接合端（１０ａ、１０ｂ）の間の部分が順次切り抜かれ、図６に示すように、各外形状部に前記開口Ｈが形成される。これにより、耳掛けシート３Ｒ、３Ｌが完成する。
【００４７】
次に、図７に示すように、本体ベース２０は、その幅中心に沿って２つ折りされ、この状態で、本体ベース２０のＳ２間を円弧状で結ぶ接合線Ｓ３により本体ベース２０がヒートシールされる。そして、図７中のトリミング線Ｔ２を順次切り抜くことにより斜線領域が落とされ、マスク本体２が切り出される。このとき、表シート２１は、マスク１のアウターシート４に形成され、フィルタシート２２はフィルタエレメント６に形成され、裏シート２３はインナーシート５に形成される。これにより、マスク１が完成する。
【００４８】
なお、トリミング線Ｔ１、およびトリミング線Ｔ２の切り抜きは同時に行うこともでき、その実施時期は、第３工程時に限定されない。
【００４９】
以下、上記マスク１の製造方法の別の実施形態を図８から図１１に基づいて説明する。なお、以下、上記一実施形態との相違点のみを説明し、上記一実施形態と同一に考えられる構成は、説明を省略し、特に必要がある場合には同一の符号を付す。
【００５０】
この実施形態では、図８、図９に示すように、上記第１工程において、２条の弾性体１２Ｒと弾性体１２Ｌが、間隔をもって平行する波状に添え付けられる。一方の弾性体１２Ｒは、シート領域１０の幅方向において一端１０ａ側に偏り、他方の弾性体１２Ｌは、シート領域１０の他端１０ｂ側に偏っており、両弾性体１２Ｒ、１２Ｌ間の添え付け幅Ｗ４は、上記切り分け線Ｃが中程を通るように設定される。
【００５１】
上記第１工程と上記第２工程の間で、シート領域１０の一端１０ａ側と他端１０ｂ側に、上記本体ベース２０の半体片３１、３２の一端３１ａ、３２ａが重ねられ、上記接合線Ｓ１に相当する位置でヒートシールにより接合される。なお、半体片３１、３２は、上記本体ベース２０の幅を半分にされたものである。
【００５２】
図１０、図１１に示すように、上記第２工程が施され、シート領域１０の部分が、切り分け線Ｃで切り分けられる。これにより、第１耳掛けグループ１０Ｒと半体片３１からなる第１複合体３０Ｒと、第２耳掛けグループ１０Ｌと半体片３２からなる第２複合体３０Ｌとが一対形成される（第４工程）。
【００５３】
次に、第１複合体３０Ｒと第２複合体３０Ｌは、上記入れ替え後に、半体片３１、３２の他端３１ｂ、３２ｂが一致するように重ね合わされ、両半体片３１、３２同士が上記接合線Ｓ３に相当する位置で接合される。これにより、上記本体ベース２０に相当する本体ベース４０が形成される。なお、この実施形態では、上記接合線Ｓ２に相当するヒートシールが省略されているが、これを実施してもよい（第５工程）。
【００５４】
最後に、上記トリミング線Ｔ１、トリミング線Ｔ２による切り抜きが実施され、マスク１が完成する。
【００５５】
この実施形態では、上記切り分け線Ｃが弾性体１２Ｒ、１２Ｌ間の中程を通るように設定されるため、第１耳掛けグループ１０Ｒの各外形状部は、弾性体１２Ｒの山部と谷部の一部を含み、第２耳掛けグループ１０Ｌの各外形状部は、弾性体１２Ｌの山部と谷部の一部を含むようになる。このため、得られる耳掛けシート３Ｒ、３Ｌの収縮力が幾分強められる。
【図面の簡単な説明】
【００５６】
【図１】実施形態に係るマスクの一部を切欠いた状態で示した全体斜視図
【図２】一実施形態に係るマスクの製造方法の第１工程を示した工程概念図
【図３】一実施形態に係るマスクの製造方法の第２工程における切り分け態様を示した工程概念図
【図４】一実施形態に係るマスクの製造方法の第３工程において、第１耳掛けグループと第２耳掛けグループを入れ替えた様子を示した工程概念図
【図５】一実施形態に係るマスクの製造方法の第３工程において、本体ベースを形成する様子を示した工程概念図
【図６】一実施形態に係るマスクの製造方法の第３工程において、本体ベースに第１耳掛けグループおよび第２耳掛けグループを接合する様子を示した工程概念図
【図７】一実施形態に係るマスクの製造方法において、本体ベースからマスク本体を切り出す様子を示した工程概念図
【図８】別の実施形態に係るマスクの製造方法の第４工程を示した工程概念図
【図９】図８のＸ−Ｘ線の断面構造の概念図
【図１０】別の実施形態に係るマスクの製造方法において、第２工程を施し、第１複合体と第２複合体の位置を入れ替えた様子を示す工程概念図
【図１１】別の実施形態に係るマスクの製造方法の第５工程を示した工程概念図
【符号の説明】
【００５７】
１  マスク
２  マスク本体
３Ｒ、３Ｌ  耳掛けシート
７  表側シート
８  弾性体
９  裏側シート
１０  シート領域
１０Ｒ  第１耳掛けグループ
１０Ｌ  第２耳掛けグループ
１１  第１シート
１２、１２Ｒ、１２Ｌ  弾性体
１２ａ、ｃ、ｅ  山部
１２ｂ、ｄ  谷部
１３  第２シート
２０、４０  本体ベース
３１、３２  半体片
３０Ｒ  第１複合体
３０Ｌ  第２複合体
【図１】
2006345993.tif 000003
【図２】
2006345993.tif 000004
【図３】
2006345993.tif 000005
【図４】
2006345993.tif 000006
【図５】
2006345993.tif 000007
【図６】
2006345993.tif 000008
【図７】
2006345993.tif 000009
【図８】
2006345993.tif 000010
【図９】
2006345993.tif 000011
【図１０】
2006345993.tif 000012
【図１１】
2006345993.tif 000013